(57)【特許請求の範囲】
【請求項１】
外刃ホルダー（１２）がかみそりヘッド（２）に着脱可能に装着され、外刃ホルダー（１２）とかみそりヘッド（２）との間に設けたロック構造で分離不能にロック保持してある電気かみそりであって、
ロック構造は、外刃ホルダー（１２）に形成されるロック凹部（４６）と、ロック凹部（４６）に係脱するロックレバー（４７）と、ロックレバー（４７）をロック解除操作する解除体（４８）と、解除体（４８）を待機付勢するロックばね（４９）とを含み、
ロックレバー（４７）は、ロック姿勢とロック解除姿勢とに往復回動可能に軸支されており、
ロックレバー（４７）がロック凹部（４６）と係合するロック状態において、ロックレバー（４７）が外刃ホルダー（１２）を下向きに押し付けており、
ロックレバー（４７）が、支軸（３９）で回転自在に軸支されるレバー本体（５１）と、レバー本体（５１）に設けられる爪片（５４）と、レバー本体（５１）から突設される連動アーム（５３）とを有しており、
解除体（４８）に設けた操作部（６１）と連動アーム（５３）とが同行可能に連結されており、
連動アーム（５３）と操作部（６１）との連結位置から支軸（３９）の中心位置までの長さ（Ｌ１）が、爪片（５４）とロック凹部（４６）の係合位置から支軸（３９）の中心位置までの長さ（Ｌ２）より大きく設定している電気かみそり。
【請求項２】
ロックレバー（４７）が、支軸（３９）で回転自在に軸支されるレバー本体（５１）と、レバー本体（５１）に設けられる爪片（５４）と、レバー本体（５１）から突設される連動アーム（５３）とを一体に備えており、
解除体（４８）がかみそりヘッド（２）のヘッドケース（１０）で出没スライド自在に案内支持されて、解除体（４８）とヘッドケース（１０）との間に配置したロックばね（４９）で押し出し付勢されており、
解除体（４８）に設けた操作部（６１）と連動アーム（５３）とが同行可能に連結されて、解除体（４８）の出没スライド動作に連動してロックレバー（４７）が回動変位できる請求項１記載の電気かみそり。
【請求項３】
ヘッドケース（１０）が、基体ケース（２１）と、基体ケース（２１）に接合固定されるフレーム（２２）と、フレーム（２２）の外面を覆う状態で基体ケース（２１）に接合固定されるケースカバー（２３）とで構成されて、外刃ホルダー（１２）がケースカバー（２３）に対して着脱可能に装着されており、
基体ケース（２１）とフレーム（２２）との間に組み付けた解除体（４８）およびロックばね（４９）が、基体ケース（２１）とフレーム（２２）とで仮組み状態に保持されており、
ロックレバー（４７）はケースカバー（２３）で回動可能に軸支されて仮組み状態に保持されており、
ロックレバー（４７）が仮組みされたケースカバー（２３）を、解除体（４８）およびロックばね（４９）が仮組みされた基体ケース（２１）に接合固定する過程で、ロックレバー（４７）の連動アーム（５３）が解除体（４８）の操作部（６１）に連動可能に連結してある請求項２記載の電気かみそり。
【発明の詳細な説明】
【技術分野】
【０００１】
本発明は、かみそりヘッドのヘッドケースに対して着脱自在に装着される外刃ホルダーと、外刃ホルダーを分離不能にロック保持するロック構造とを備えている電気かみそりに関する。
【背景技術】
【０００２】
この種のロック構造として、例えば特許文献１のロック構造が公知である。そこでは、縦長板状のロックレバーで外刃ホルダーを分離不能にロック保持している。ロックレバーは、側面から見てく字状に折れ曲がるレバー本体と、レバー本体の上部両側に張り出される左右一対のロック爪と、レバー本体の上部外面に膨出される操作ボタンを一体に備えている。外刃ホルダーの周壁内面には、先のロック爪と係合するロック凹部が凹み形成してある。ロックレバーは、本体ケースに形成した凹部に起立姿勢で収容されて、圧縮コイル形のばねでロック付勢してあり、レバー本体の下端を支点にして内外方向へ傾動することにより、ロック姿勢とロック解除姿勢とに傾動変位できる。ばねの付勢力に抗して操作ボタンを押し込み操作すると、ロック爪とロック凹部との係合状態が解除されるので、外刃ホルダーを本体ケースから取り外すことができる。
【０００３】
【特許文献１】特開平８−１７３６４８号公報（段落番号００１６、図１、図２）
【発明の開示】
【発明が解決しようとする課題】
【０００４】
上記のような従来のロック構造においては、ヘッドケースに装着した外刃ホルダーがヘッドケースから上方へ分離しようとするのをロックレバーで阻止しているに過ぎない。詳しくは、ロック爪とロック凹部とは、互いに上下方向の移動を拘束する関係でしかない。そのため、ヘッドケース、外刃ホルダー、およびロックレバーの仕上がり寸法のばらつきによって、ロック保持した状態の外刃ホルダーが僅かにがたつき、あるいは、外刃ホルダーをヘッドケースに密着させることが困難となることがある。とくに、長期にわたる使用に伴って、ロック爪あるいはロック凹部の係合部分が摩滅した状態では外刃ホルダーががたつきやすくなり、結果、外刃と内刃の密着度合いが低下し、切れ味が著しく損なわれる点に問題がある。
【０００５】
本発明の目的は、ヘッドケースや外刃ホルダーなどに寸法のばらつきがあるような場合でも、ロック保持した状態の外刃ホルダーががたつくのを防止でき、あるいは、外刃ホルダーをヘッドケースに密着固定することができ、したがって、外刃を内刃に対して常に確実に密着させて良好な切れ味を永続できる電気かみそりを提供することにある。
【課題を解決するための手段】
【０００６】
本発明の電気かみそりは、外刃ホルダー１２がかみそりヘッド２に着脱可能に装着され、外刃ホルダー１２とかみそりヘッド２との間に設けたロック構造で分離不能にロック保持してある。ロック構造は、外刃ホルダー１２に形成されるロック凹部４６と、ロック凹部４６に係脱するロックレバー４７と、ロックレバー４７をロック解除操作する解除体４８と、解除体４８を待機付勢するロックばね４９とを含む。ロックレバー４７は、ロック姿勢とロック解除姿勢とに往復回動可能に軸支されている。以て、ロックレバー４７がロック凹部４６と係合するロック状態において、ロックレバー４７が外刃ホルダー１２を下向きに押し付けるようにする。
【０００７】
ロックレバー４７は、支軸３９で回転自在に軸支されるレバー本体５１と、レバー本体５１に設けられる爪片５４と、レバー本体５１から突設される連動アーム５３とを一体に備えている。解除体４８はかみそりヘッド２のヘッドケース１０で出没スライド自在に案内支持されて、解除体４８とヘッドケース１０との間に配置したロックばね４９で押し出し付勢してある。解除体４８に設けた操作部６１と連動アーム５３とは同行可能に連結されて、解除体４８の出没スライド動作に連動してロックレバー４７が回動変位できるようにする。
【０００８】
連動アーム５３と操作部６１との連結位置から支軸３９の中心位置までの長さＬ１を、爪片５４とロック凹部４６の係合位置から支軸３９の中心位置までの長さＬ２より大きく設定する。
【０００９】
ヘッドケース１０は、基体ケース２１と、基体ケース２１に接合固定されるフレーム２２と、フレーム２２の外面を覆う状態で基体ケース２１に接合固定されるケースカバー２３とで構成する。外刃ホルダー１２はケースカバー２３に対して着脱可能に装着する。基体ケース２１とフレーム２２との間に組み付けた解除体４８およびロックばね４９を、基体ケース２１とフレーム２２とで仮組み状態に保持する。ロックレバー４７はケースカバー２３で回動可能に軸支されて仮組み状態に保持する。以て、ロックレバー４７が仮組みされたケースカバー２３を、解除体４８およびロックばね４９が仮組みされた基体ケース２１に接合固定する過程で、ロックレバー４７の連動アーム５３を解除体４８の操作部６１に連動可能に連結する。
【発明の効果】
【００１０】
本発明のロック構造においては、外刃ホルダー１２のロック凹部４６に係脱するロックレバー４７を往復回動可能に軸支して、ロック状態におけるロックレバー４７が外刃ホルダー１２を下向きに押し付けるようにするので、外刃ホルダー１２や外刃ホルダー１２の取付構造部分などに寸法のばらつきがあるような場合でも、ロック保持した状態の外刃ホルダー１２ががたつくのを防止でき、これにより外刃ホルダー１２で支持された外刃１３ｂを内刃１３ａに対して常に確実に密着させて切れ味を向上できる。また、ロック状態におけるロックレバー４７はロック凹部４６と単に係合しているだけではなく、ロックばね４９の付勢力を利用してロック凹部４６に強く押し付けられるので、落下衝撃などの強い外力が外刃ホルダー１２に作用するような場合でも、ロックレバー４７とロック凹部４６の係合関係を持続して、外刃ホルダー１２がかみそりヘッド２から外れるのを確実に防止できる。
【００１１】
レバー本体５１、爪片５４、連動アーム５３などでロックレバー４７を構成し、解除体４８をヘッドケース１０で出没スライド自在に案内支持しロックばね４９で押し出し付勢するロック構造によれば、解除体４８をロックばね４９に抗して押し込みスライド操作することにより、ロックレバー４７を回動変位させてロック解除姿勢に切り換えることができるので、ロック構造をロック解除し、外刃ホルダー１２をヘッドケース１０から取り外すための一連の操作を簡便に行える。また、解除体４８のスライド動作で解除体４８を回動変位させてロック解除状態に切り換えるので、ロックレバー４７と解除体４８との連動構造を簡素化しながら、往復スライド動作から往復回転動作への動作変換を確実に行える。
【００１２】
連動アーム５３と操作部６１との連結位置から支軸３９の中心位置までの長さＬ１を、爪片５４とロック凹部４６の係合位置から支軸３９の中心位置までの長さＬ２より大きく設定するロック構造によれば、これらの長さ（モーメントアーム）の違いによって、連動アーム５３側に作用するモーメントを、爪片５４側に作用するモーメントより充分に大きくできるので、外刃ホルダー１２に落下衝撃などの大きな外力が作用する場合にも、ロックレバー４７をロック姿勢に保持し続けて、爪片５４とロック凹部４６の係合関係が解除されるのをよく防止でき、したがって外力を受けた外刃ホルダー１２が不用意に外れるのを確実に防止できる。
【００１３】
ヘッドケース１０を構成する基体ケース２１とフレーム２２とに解除体４８およびロックばね４９を仮組みし、ケースカバー２３にロックレバー４７を仮組みしておき、ケースカバー２３を基体ケース２１に接合固定する過程で、ロックレバー４７の連動アーム５３を解除体４８の操作部６１に連動可能に連結するロック構造によれば、ロックレバー４７、解除体４８、ロックばね４９の各ロック部品を組み付け対象に確実に組むことができ、さらにケースカバー２３を基体ケース２１に組み付けるときに連動アーム５３と操作部６１とを連動可能に連結して、一連の組立作業をより少ない手間で確実に行える。
【発明を実施するための最良の形態】
【００１４】
（実施例）  図１ないし図６は本発明に係るロータリー式の電気かみそりの実施例を示す。図２において電気かみそりは、グリップを兼ねる本体ケース１と、その上部に設けられるかみそりヘッド２と、本体ケース１の内部に収容される電装品ユニットなどで構成してある。本体ケース１の前面には、モーター起動用のスイッチボタン４や、モーターの運転状態を切り換えるセレクトボタン５と、ＬＥＤ表示部６などが設けてある。図示していないが、本体ケース１の後面にはきわぞり刃ユニットが設けてある。電装品ユニットは、２次電池７や制御基板などで構成してある。
【００１５】
図３ないし図５に示すようにかみそりヘッド２は、ヘッドケース１０と、ヘッドケース１０の下面に固定されるモーターホルダー１１と、ヘッドケース１０に対して着脱される外刃ホルダー１２などを外殻体にして構成してある。かみそりヘッド２の上部に前後一対のメイン刃１３とセンター刃１４を配置し、これら両者の内刃をモーターホルダー１１に収容したモーター１５の動力で駆動できるようにしている。モーター１５の回転動力は、ヘッドケース１０に設けたギヤ伝動機構１６を介してメイン刃１３の内刃に伝動される。同時に、モーター１５の回転動力を偏心カム１８と振動子１９で往復動力に変換したのち、センター刃１４の内刃と、きわぞり刃の可動刃とに伝動される。かみそりヘッド２の全体は、本体ケース１とかみそりヘッド２との間に設けた浮動機構で前後、左右、上下の全方位方向へ傾動ならびに浮動可能に支持されている。
【００１６】
図５に示すようにヘッドケース１０は、基体ケース２１と、基体ケース２１に接合固定されるフレーム２２と、フレーム２２の外面を覆う状態で基体ケース２１に接合固定されるケースカバー２３とで構成してある。基体ケース２１は上向きに開口する皿状体からなり、その上面に横長四角形状のリブ壁２４が周回状に突設され、リブ壁２４の周囲にフランジ壁２５が張り出してある。基体ケース２１の左右両側に張り出されたフランジ壁２５は、後述する解除ボタン４８をスライド案内するガイド壁を兼ねており、その上面の前後には規制突起２６が突設してある。
【００１７】
フレーム２２は、先のリブ壁２４に合致して横長四角形状に形成してあり、その左右両側に側壁２９が上向きに突設してある。側壁２９の上部前後には、後述するロックレバー４７用の出入口３０が切り欠き形成してあり、フレーム２２の側面前後に横臥Ｌ字状の保持爪３１が突設してある（図１参照）。さらに、フレーム２２の側面の前後中央にロックばね４９の一端を支持するばね受突起３２が突設してある。
【００１８】
ケースカバー２３は、先のフランジ壁２５に合致する枠状の周回壁３５と、周回壁３５の上面を覆う上壁３６とで下向きに開口する容器状に形成してある。周回壁３５の左右側壁３５ａはトンネル断面状に形成してあり、その下部に解除ボタン４８用の操作口３７が切り欠き形成してある。また、周回壁３５の左右側壁の内面上部には、断面門形の受枠３８が形成され、受枠３８の前後面の下端にロックレーバー４７用の支軸３９が一体に形成してある。上壁３６の上面に、前後一対の内刃１３ａを備えた内刃ユニット４２が組み付けられ、ケースカバー２３の周回壁３５および左右側壁３５ａの上縁の装着部に外刃ホルダー１２が装着される。
【００１９】
図６に示すように、内刃ユニット４２は逆門形のフレーム４３と、フレーム４３で回転自在に軸支される前後一対の内刃１３ａと、先のギヤ伝動機構１６の一部を構成するギヤトレインなどで構成してある。ケースカバー２３の上壁３６に装着した内刃ユニット４２を、分離不能に固定保持するために、フレーム２２と内刃ユニット４２のフレーム４３との間にロック構造を設けている。
【００２０】
図６においてロック構造は、フレーム２２で左右スライド自在に支持されるロック枠８０と、ロック枠８０をロック付勢するロックばね８１と、ロック枠８０の上面４箇所に突設されて前記上壁３６から突出するロック爪８２と、ロック爪８２に対応してフレーム４３の下枠下面に設けられる係合部８３などで構成する。ロック枠８０の前面側にはロック解除用のノブ８４が一体に設けてあり、このノブ８４はケースカバー２３の上壁３６の前縁から露出させてある。図１に示すように、内刃ユニット４２をケースカバー２３の上壁３６に装着した状態では、ロック爪８２が係合部８３と係合して、内刃ユニット４２をロック固定している。この状態から、ノブ８４をロックばねの付勢力に抗して図６に向かって右方へスライド操作すると、ロック枠８０およびロック爪８２が右方へスライド移動するので、ロック爪８２と係合部８３との係合が解除されるので、内刃ユニット４２をケースカバー２３の上壁３６から取り外すことができる。
【００２１】
外刃ホルダー１２は、上下面が開口するキャップ状のプラスチック成形品からなり、その内面前後にメイン刃１３の外刃１３ｂがアーチ状に保形支持してある。両外刃１３ｂの間にセンター刃１４が組み付けられている。外刃ホルダー１２の左右側壁の内面内方にロック壁４５が下向きに突設され、その壁面の前後にロック穴（ロック凹部）４６が形成してある。
【００２２】
ケースカバー２３に装着した外刃ホルダー１２を分離不能にロック保持するために、ロック構造を設けている。図１に示すようにロック構造は、外刃ホルダー１２に設けたロック穴４６と、ロック穴４６に係脱するロックレバー４７と、ロックレバー４７をロック解除操作する解除ボタン（解除体）４８と、解除ボタン４８を待機位置へ向かって進出付勢するロックばね４９などで構成する。ロックばね４９は圧縮コイルばねからなる。
【００２３】
図５に示すようにロックレバー４７は、前後一対のレバー本体５１と、前後のレバー本体５１を繋ぐレバー枠５２と、レバー枠５２の前後中央から下向きに突設される連動アーム５３とを一体に備えている。レバー本体５１の周面上部に、先のロック穴４６と係合する爪片５４が一体に形成してあり、レバー本体５１の壁面のそれぞれに軸穴５５が形成してある。レバー枠５２が先の受枠３８の下方に位置する状態で、前後のレバー本体５１の軸穴５５を支軸３９に係合装着することにより、ロックレバー４７がケースカバー２３と一体化される。このようにロックレバー４７をケースカバー２３に仮組みした状態においては、レバー全体が支軸３９で回動可能に軸支され、レバー本体５１の軸穴５５と支軸３９との係合関係を解消しない限りは仮組み状態を保持できる。
【００２４】
解除ボタン４８は、外形がアーチ形のボタン本体５９と、ボタン本体５９の内縁下端前後に張り出されるスライド壁６０とを一体に備えており、ボタン本体５９の上壁部分に連動アーム５３と係合する操作穴（操作部）６１が上下貫通状に形成してある。スライド壁６０の上縁には、保持爪３１でスライド案内される溝６２が切り欠き形成してある。ボタン本体５９の内面には、ばね受突起６３が先のばね受突起３２に対応して突設してある。
【００２５】
解除ボタン４８とロックばね４９とは、基体ケース２１とフレーム２２に仮組み保持される。詳しくは、ロックばね４９の一端を解除ボタン４８のばね受突起６３に組んだ状態で、スライド壁６０を左右のフランジ壁２５にあてがいながら規制突起２６に掛止し、この状態の基体ケース２１にフレーム２２を組み付け、さらに保持爪３１を溝６２に係合させて、解除ボタン４８を規制突起２６と保持爪３１とで抜け止め保持することにより仮組み状態に保持できる。ロックレバー４７の連動アーム５３と解除ボタン４８の操作穴６１とは、ケースカバー２３を基体ケース２１に組み付ける過程で組み付けられて、連動アーム５３の下端が操作穴６１の内部に差し込み連結される。なお、基体ケース２１、フレーム２２、ケースカバー２３の三者は、基体ケース２１の下面側からねじ込まれる４個のビスで締結されて一体化してある。
【００２６】
上記の組み付け状態において、解除ボタン４８は操作口３７から外刃ホルダー１２の外面に露出しており、操作口３７に対して出没スライドできる。また、前後一対のレバー本体５１は、フレーム２２の側壁２９に設けた出入口３０に臨んでいて、その爪片５４が側壁２９の内方に突出している。この状態でケースカバー２３の装着部に外刃ホルダー１２を装着すると、爪片５４がロック壁４５で押し退けられてロックレバー４７の全体が図１において時計回転方向へ回動する。そして、外刃ホルダー１２の外刃１３ｂが内刃１３ａに外接した状態では、図１に示すように爪片５４がロック穴４６に落ち込み係合して、外刃ホルダー１２を分離不能にロック保持している。
【００２７】
上記のロック状態において、支軸３９の中心位置に時計の文字盤の中心があると想定するとき、爪片５４は文字盤の１０時付近の位置にあって、ロックばね４９の付勢力を受けた解除体４８によって、反時計回転方向へ回動する向きの力を受けている。これにより、外刃ホルダー１２の全体は、ロックレバー４７でケースカバー２３へ向かって押し付けられており、したがって、外刃ホルダー１２で保持した外刃１３ｂを内刃１３ａに密着させて、良好な切れ味を発揮できることとなる。連動アーム５３と操作部６１との連結位置から支軸３９の中心位置までの長さＬ１は、爪片５４とロック凹部４６の係合位置から支軸３９の中心位置までの長さＬ２より大きく設定してある。これは、ロックレバー４７がロック状態を保持しているときのモーメントを大きくして、落下衝撃などの強い外力が外刃ホルダー１２に作用するとき、爪片５４とロック穴４６との係合状態が容易に解除されるのを防ぐためである。
【００２８】
なお、外刃ホルダー１２をケースカバー２３から取り外す場合には、左右の解除ボタン４８を同時にロックばね４９に抗して押し込み操作し、爪片５４とロック穴４６との係合状態を解除して、外刃ホルダー１２を抜き外し操作する。この時には、連動アーム５３側の長さＬ１が爪片５４側の長さＬ２より大きいので、ロックレバー４７をロック解除するのに必要な力を軽減できる。
【００２９】
図７はロック構造の別の実施例を示す。そこでは、解除ボタン４８の出没スライド動作を、ロックレバー４７に対して２個の中間ギヤ７１・７２を介して伝動できるようにした。そのために、ボタン本体５９の上部に前段側の中間ギヤ７１と噛み合うラック７３を設け、ロックレバー４７のレバー本体５１の下周面に、後段側の中間ギヤ７２と噛み合うギヤ７４を設けた。この実施例におけるロックレバー４７も、先の実施例のロックレバー４７と同様に、外刃ホルダー１２の全体をロックレバー４７でケースカバー２３へ向かって押し付けることができる。他は先の実施例と同じであるので、同じ部材に同じ符号を付してその説明を省略する。以下の実施例においても同様に扱う。
【００３０】
図８はロック構造のさらに別の実施例を示す。そこでは、ロックレバー４７の下端に解除ボタン４８を一体に設け、ロックレバー４７の全体を支軸３９で往復回動可能に軸支して、外刃ホルダー１２の全体をロックレバー４７でケースカバー２３へ向かって押し付けられるようにした。
【００３１】
図９は本発明を適用した電気かみそりの別の実施例を示す。そこでは、本体ケース１の上部に設けた装着部６６に外刃ホルダー１２が着脱される。装着部６６の外面上方には往復駆動される内刃１３ａが設けてあり、装着部６６の内部には、モーター１５の回転動力を往復動力に変換する偏心カム６７および振動子６８などが組み込んである。この実施例において符号ｈで示す部分が、図１〜図６で説明した実施例におけるかみそりヘッド２に相当し、符号ｋで示す部分がヘッドケース１０に相当する。
【００３２】
この実施例におけるロック構造では、解除ボタン４８の出没スライド動作を、ロックレバー４７に対して中間レバー７０を介して伝動できるようにした。また、ロックレバー４７をロックばね４９で直接ロック付勢した。本体ケース１で出没自在に支持した解除ボタン４８を押し込み操作すると、中間レバー７０が軸７５を中心にして回動しロックレバー４７の連動アーム５３を同行揺動させる。その結果、ロックレバー４７がロック解除姿勢に切り換わるので、外刃ホルダー１２を装着部６６から取り外すことができる。ロック凹部４６は、外刃ホルダー１２の左右側壁の内面に凹み形成してある。この実施例から理解できるように、ロック構造は本体ケース１の上部に設けることができる。
【００３３】
図１０は、ロック構造のさらに別の実施例を示す。そこでは図９と同様に、本体ケース１の上部に設けた装着部６６に外刃ホルダー１２を着脱する。この実施例においては、解除体４８を外刃ホルダー１２に組み付けて、ロック凹部４６と係合するロックレバー４７の爪片５４を、解除体４８でロック解除操作できるようにした。ロックレバー４７はロックばね４９で直接ロック付勢してある。解除体４８は、弾性変形可能な解除アーム７３と、解除アーム７３の下端に設けられる操作部７４とを一体に備えており、解除アーム７３の上端が外刃ホルダー１２の側壁内面に溶着固定してある。この実施例から理解できるように、解除体４８は外刃ホルダー１２に設けることができる。
【００３４】
上記の実施例以外に、ロック構造は外刃ホルダー１２の左右側壁の少なくともいずれか一方に設けてあれば足りる。解除体４８は横向きに出没スライドするボタンで構成する以外に、ロックレバー４７と同じ向きに往復揺動するレバーや、上下スライド自在なノブで構成することができる。例えば、図９に示す解除体４８を本体ケース１に形成した上下方向のスリットで上下スライド自在に支持し、解除体４８の中間レバー７０との接当部分を傾斜面で形成して、解除体４８の上方スライド動作で中間レバー７０を軸７５を中心にして回動することができる。操作部６１は穴で形成する必要はなく、一対の突起や凹みで形成することができる。解除体４８の側に突起を設け、連動アーム５３の側に先の突起と係合する凹部や穴などを設けて、両者４８・５３を連動可能とすることができる。
【図面の簡単な説明】
【００３５】
【図１】外刃ホルダーのロック構造を示す縦断正面図である。
【図２】電気かみそりの正面図である。
【図３】かみそりヘッドの縦断正面図である。
【図４】外刃ホルダーを取り外した状態のかみそりヘッドの一部破断側面図である。
【図５】ヘッドケースの構造を示す一部破断側面図である。
【図６】外刃ホルダーと内刃ユニットを分離したかみそりヘッドの正面図である。
【図７】ロック構造の別の実施例を示す断面図である。
【図８】ロック構造のさらに別の実施例を示す断面図である。
【図９】ロック構造のさらに別の実施例を示す概略断面図である。
【図１０】ロック構造のさらに別の実施例を示す概略断面図である。
【符号の説明】
【００３６】
２  かみそりヘッド
１０  ヘッドケース
１２  外刃ホルダー
２１  基体ケース
２２  フレーム
２３  ケースカバー
３９  支軸
４６  ロック凹部
４７  ロックレバー
４８  解除体
４９  ロックばね
５１  レバー本体
５３  連動アーム
５４  爪片
６１  操作部
Ｌ１  連動アームと操作部との連結位置から支軸の中心位置までの長さ
Ｌ２  爪片とロック凹部の係合位置から支軸の中心位置までの長さ
【図１】
0005077934.tif 000002
【図２】
0005077934.tif 000003
【図３】
0005077934.tif 000004
【図４】
0005077934.tif 000005
【図５】
0005077934.tif 000006
【図６】
0005077934.tif 000007
【図７】
0005077934.tif 000008
【図８】
0005077934.tif 000009
【図９】
0005077934.tif 000010
【図１０】
0005077934.tif 000011